(57)【要約】【課題】シーブ素材としてナイロンなどの耐候性の悪い合成樹脂が使用されている場合、シーブが劣化する。【解決手段】一実施形態によれば、紫外線を透過させる壁面に囲まれた昇降路１と、巻上機５と、かご６と、それぞれかご６に軸装された合成樹脂製のカーシーブ８、９と、カウンターウェイト１０と、それぞれカウンターウェイト１０に軸装された合成樹脂製のカウンターウェイトシーブ１１、１２と、カウンターウェイトシーブ１１、１２及びカーシーブ８、９に巻掛けられ、巻上機５により巻回駆動されるロープ１３と、ロープ１３に染み込ませられたロープグリスとを備え、ロープ１３に含浸された防錆用および摩擦低減用のオイルを含むロープグリスと、を備え、このロープグリスには紫外線をカットする紫外線カット剤が予め添加されることを特徴とするエレベータが提供される。【選択図】図１
2012126503.tif 000002
【特許請求の範囲】
【請求項１】
紫外線を透過させる壁面に囲まれた昇降路と、
この昇降路に設けられた巻上機と、
この巻上機による巻上駆動によって前記昇降路を走行するかごと、
このかごに軸装された合成樹脂製のシーブ本体およびシーブ溝を有するカーシーブと、
このカーシーブの回転と連動して前記昇降路を昇降するカウンターウェイトと、
このカウンターウェイトに軸装された合成樹脂製のシーブ本体およびシーブ溝を有するカウンターウェイトシーブと、
これらのカウンターウェイトシーブの前記シーブ溝およびカーシーブの前記シーブ溝に巻掛けられ、前記巻上機により巻回駆動されるロープと、
このロープに含浸された防錆用および摩擦低減用のオイルを含むロープグリスと、を備え、
このロープグリスには前記紫外線をカットする紫外線カット剤が予め添加されることを特徴とするエレベータ。
【請求項２】
前記紫外線カット剤が添加されたロープオイルを満たしたタンクと、
このタンクから前記ロープオイルを前記ロープにロープ外より供給する給油装置とを更に備え、
この供給装置は前記ロープの使用中又は使用後に前記ロープオイルを供給することを特徴とする請求項１記載のエレベータ。
【請求項３】
前記カーシーブのうち、前記ロープとの接触部分以外の部分は予め前記紫外線カット剤を含む塗料により塗装され、および前記カウンターウェイトシーブのうち、前記ロープとの接触部分以外の部分は予めこの塗料により塗装されることを特徴とする請求項１又は請求項２記載のエレベータ。
【請求項４】
前記カーシーブの側面部および前記カウンターウェイトシーブの側面部は、前記紫外線をカットするフィルムが貼られることを特徴とする請求項１又は２記載のエレベータ。
【請求項５】
前記ロープのうちの前記巻上機から延びるロープ部分を前記カーシーブあるいは前記カウンターウェイトシーブへ導くそらせシーブを更に備えたことを特徴とする請求項１〜４の何れかに記載のエレベータ。
【請求項６】
紫外線を透過させる壁面に囲まれた昇降路と、
この昇降路に設けられた巻上機と、
この巻上機による巻上駆動によって前記昇降路を走行するかごと、
このかごに軸装され、前記紫外線をカットする合成樹脂製のシーブ本体およびシーブ溝を有するカーシーブと、
このカーシーブの回転と連動して前記昇降路を昇降するカウンターウェイトと、
このカウンターウェイトに軸装され、前記紫外線をカットする合成樹脂製のシーブ本体およびシーブ溝を有するカウンターウェイトシーブと、
これらのカウンターウェイトシーブの前記シーブ溝およびカーシーブの前記シーブ溝に巻掛けられ、前記巻上機により巻回駆動されるロープと、を備えたことを特徴とするエレベータ。
【発明の詳細な説明】
【技術分野】
【０００１】
一実施形態はエレベータに関する。
【背景技術】
【０００２】
エレベータの昇降路は建物の壁で覆われており、紫外線が昇降路内のカーシーブやカウンターウェイトシーブに照射されることはない。展望用や屋外用のエレベータにおいては、太陽光の紫外線が直接これらのシーブに照射される。
【０００３】
従来、シーブには鋳物素材が使用されていたが、軽量化及びコスト低減の観点から、例えばナイロンを素材としたシーブがエレベータに適用されるようになってきている。ナイロンは、アミド結合（−ＣＯ−ＮＨ−）を有し、高分子鎖どうしがＮＨとＣＯとの間で水素結合により結合されている。
【先行技術文献】
【特許文献】
【０００４】
【特許文献１】特開２００９−２５６２１５号公報
【特許文献２】特開平１１−２６８１６７号公報
【発明の概要】
【発明が解決しようとする課題】
【０００５】
しかし、紫外線により、ナイロン製のシーブは機械的強度が低下する。ナイロンなどの耐候性の悪い合成樹脂がシーブ素材に使用されている場合、紫外線によりカーシーブやカウンターウェイトシーブが劣化する。耐候性とは、強度の劣化などの変質を素材が起こしにくい性質を指す。
【課題を解決するための手段】
【０００６】
このような課題を解決するため、本発明の一実施形態によれば、紫外線を透過させる壁面に囲まれた昇降路と、この昇降路に設けられた巻上機と、この巻上機による巻上駆動によって前記昇降路を走行するかごと、このかごに軸装された合成樹脂製のシーブ本体およびシーブ溝を有するカーシーブと、このカーシーブの回転と連動して前記昇降路を昇降するカウンターウェイトと、このカウンターウェイトに軸装された合成樹脂製のシーブ本体およびシーブ溝を有するカウンターウェイトシーブと、これらのカウンターウェイトシーブの前記シーブ溝およびカーシーブの前記シーブ溝に巻掛けられ、前記巻上機により巻回駆動されるロープと、このロープに含浸された防錆用および摩擦低減用のオイルを含むロープグリスと、を備え、このロープグリスには前記紫外線をカットする紫外線カット剤が予め添加されることを特徴とするエレベータが提供される。
【０００７】
また、本発明の別の一実施形態によれば、紫外線を透過させる壁面に囲まれた昇降路と、この昇降路に設けられた巻上機と、この巻上機による巻上駆動によって前記昇降路を走行するかごと、このかごに軸装され、前記紫外線をカットする合成樹脂製のシーブ本体およびシーブ溝を有するカーシーブと、このカーシーブの回転と連動して前記昇降路を昇降するカウンターウェイトと、このカウンターウェイトに軸装され、前記紫外線をカットする合成樹脂製のシーブ本体およびシーブ溝を有するカウンターウェイトシーブと、これらのカウンターウェイトシーブの前記シーブ溝およびカーシーブの前記シーブ溝に巻掛けられ、前記巻上機により巻回駆動されるロープと、を備えたことを特徴とするエレベータが提供される。
【図面の簡単な説明】
【０００８】
【図１】本発明の一実施形態に係るエレベータの構成例を示す図である。
【図２】（ａ）は本発明の一実施形態に係るエレベータに用いられるカーシーブの斜視図であり、（ｂ）は図２（ａ）のＡＡ′線に沿うカーシーブの縦断面図である。
【図３】本発明の一実施形態に係るエレベータに用いられるメインロープをロープ長方向に直交する面で切断したときの断面図である。
【図４】（ａ）は本発明の一実施形態に係るエレベータに用いられる給油装置の一例を示す斜視図であり、（ｂ）はその平面図である。
【図５】本発明の一実施形態の変形例に係るエレベータに用いられるカーシーブへ貼られるフィルムを示す図である。
【発明を実施するための形態】
【０００９】
以下、本発明の実施の形態に係るエレベータについて、図１乃至図５を参照しながら説明する。尚、各図において同一箇所については同一の符号を付すとともに、重複した説明は省略する。
【００１０】
図１は本発明の一実施の形態に係るエレベータの斜視図である。本実施形態に係るエレベータは、日照光を透過させる素材からなる透明な壁面により囲まれた昇降路１と、この昇降路１の上部に設けられた支持梁２と、この支持梁２に支持され、巻上モータ３及びトラクションシーブ４を有する巻上機５と、この巻上機５による巻上駆動によって昇降路１を走行するかご６とを備えている。このかご６にはシーブ支持梁７を介してカーシーブ８、９が回転自在に支持されている。かご６の背面側にカウンターウェイト１０が位置しこのカウンターウェイト１０はこれらのカーシーブ８、９の回転と連動して昇降路１を昇降する。カウンターウェイト１０の上部にはカウンターウェイトシーブ１１、１２が回転自在に設けられている。これらのカウンターウェイトシーブ１１、１２、カーシーブ８、９及びトラクションシーブ４にはメインロープ１３（ロープ）が巻掛けられており、このメインロープ１３は巻上機５の駆動によって巻上げられ及び巻戻されるようになっている。
【００１１】
メインロープ１３はトラクションシーブ４から垂下された第１のロープ部分１４及び第２のロープ部分１５を有する。第１のロープ部分１４はカーシーブ８、９に巻掛けられ、これらのカーシーブ８、９を通った後、かご６の上方に導かれている。この第１のロープ部分１４の上端部はロープヒッチ１６に固定されている。第２のロープ部分１５はそらせシーブ１７、１８に巻掛けられ、これらのそらせシーブ１７、１８を通った後、上方に延ばされ、別のそらせシーブ１９に巻掛けられている。更に第２のロープ部分１５はこのそらせシーブ１９から下方に導かれた後、カウンターウェイトシーブ１１、１２に巻掛けられており、更にカウンターウェイトシーブ１２を通った後、昇降路１の上方に導かれている。この第２のロープ部分１５の上端部は、ロープヒッチ２０に固定されている。
【００１２】
このエレベータでは、カーシーブ８、９のシーブ素材と、カウンターウェイトシーブ１１、１２のシーブ素材と、そらせシーブ１７、１８、１９のシーブ素材とのそれぞれにナイロン樹脂が用いられている。
【００１３】
図２（ａ）は図１に示したカーシーブ８の斜視図である。図２（ｂ）は図２（ａ）のＡＡ′線に沿うカーシーブ８の縦断面図である。図３は図１に示したメインロープ１３の横断面図である。カーシーブ８は、シーブ本体である円筒胴体２３と、この円筒胴体２３の上底面の両側でそれぞれ向合う鍔付き円盤状の２つの側面部２１と、円筒胴体２３の中心軸を含む軸部２２と、それぞれ円筒胴体２３の外周部２３ａ上に形成された複数本のシーブ溝２４とを備えている。これらの側面部２１及び外周部２３ａにより囲まれる部分が円筒状のシーブ本体を構成している。また、カーシーブ８の各側面部２１には紫外線をカットする添加剤が混合された塗料により塗装３２が予め施されている。
【００１４】
メインロープ１３は、図３に示すように、芯綱１３ａと、この芯綱１３ａの周りに撚り合わされた複数、例えば８本のストランド１３ｂとを有する。メインロープ１３はその製造段階で予め芯綱１３ａに、紫外線をカットする添加剤を混合されたロープグリスを染み込ませておく。メインロープ１３は例えば隙間３５にロープグリスを含浸する。ロープグリスは、防錆用及び摩擦低減用の基油と、基油の粘性を調節するための増調剤とを含んでいる。基油は潤滑によって、芯綱１３ａと複数本のストランド１３ｂとの間の摩擦面積を減らし、及び各ストランド１３ｂを成す素線どうしの間の摩擦面積を減らす。増調剤にはこの基油を保持する油脂などが用いられている。
【００１５】
紫外線をカットする添加剤としては紫外線吸収剤及び紫外線散乱剤が用いられる。紫外線吸収剤は、紫外線と化学的に反応して紫外線エネルギを熱エネルギに変換しこの熱エネルギを放出することにより紫外線を吸収遮断する性質を有する。紫外線吸収剤にはα波の波長領域及びβ波の波長領域に吸収極大を有する化合物が用いられる。α波の波長領域とは例えば３２０〜４００ｎｍ（ナノメートル）を指し、β波の波長領域とは例えば２９０〜３２０ｎｍを指す。紫外線吸収剤は、例えばケイ皮酸系化合物、ベンゾフェノン系化合物、安息香酸系化合物、サリチル酸系化合物の中から選ばれる１種または２種以上を用いる。
【００１６】
また、紫外線散乱剤は紫外線を散乱させることによって紫外線を遮蔽する性質を有する。紫外線散乱剤は、酸化亜鉛、二酸化チタン、微粒子状あるいは粉体状の酸化亜鉛、微粒子状あるいは粉体状の二酸化チタンを用いることができる。
【００１７】
また、カーシーブ９、カウンターウェイトシーブ１１、１２及びそらせシーブ１７、１８、１９の構成はカーシーブ８の構成と実質同じである。
【００１８】
メインロープ１３にロープオイルを補給する場合、給油装置が用いられる。
【００１９】
図４（ａ）は給油装置の一例を示す斜視図であり、図４（ｂ）は給油装置の平面図である。給油装置２６は、ロープオイル２７を満たしたオイルタンク２８と、このオイルタンク２８の上方に上下対向して配置された一対の平板状のガイド板２９と、これらのガイド板２９間に挟持された給油芯３０と、ボルト締めにより上下変位しこの給油芯３０を押圧する繰出しローラ３３とを備えている。給油芯３０はその後端部分がオイルタンク２８内のロープオイル２７中に浸漬され、先端部分がガイド板２９間の隙間を通してオイルタンク２８の前方に水平に引出されている。この給油芯３０はフェルト材などからなり、それぞれロープ外周に嵌挿される内筒形状を持つ複数の切欠き３４を形成されている。これらの切欠き３４がメインロープ１３（斜線部参照）を塗布する。
【００２０】
上述の構成を有する本実施形態に係るエレベータのメインロープ１３の製造工程では、製造機械が芯綱１３ａに、紫外線カット用添加剤を添加されたロープグリスを染込ませる。昇降路１内で紫外線が照射される環境においてこのエレベータが運行すると、メインロープ１３に荷重がかかり、ロープグリスは絞り出され、芯綱１３ａからこの芯綱１３ａの外周に設けられた複数本のストランド１３ｂを通ってメインロープ１３の外部へと徐々に排出される。カーシーブ８、９、カウンターウェイトシーブ１１、１２及びそらせシーブ１７、１８、１９のそれぞれのシーブ溝２４と、メインロープ１３とが接触する。互いに離れていたメインロープ１３及びシーブ外周が互いに係合し、ロープグリスがシーブ溝２４に塗布される。ロープグリスからは添加剤が染み出し、メインロープ１３と、カーシーブ８、９、カウンターウェイトシーブ１１、１２及びそらせシーブ１７、１８、１９のそれぞれのシーブ溝２４との接触部分２５に紫外線をカットする添加剤が塗布される。
【００２１】
また、メインロープ１３の芯綱１３ａに含侵されるロープグリスの量が消費されると、ロープオイルをメインロープ１３に補給する必要が生じる。
【００２２】
図４（ａ）、図４（ｂ）に示すように、給油装置２６にはロープオイル２７が満たされる。ロープオイル２７は、防錆用及び摩擦低減用の基油と、この基油に添加される紫外線カット用の添加剤とを含む。例えばかご上で作業者が給油装置２６を支えながらかごを低速運転する操作をエレベータは行う。このロープオイル２７の基油と、元々のロープグリスの基油とがメインロープ２８に塗布され、防錆及び摩擦低減が図られる。また、カーシーブ８、９、カウンターウェイトシーブ１１、１２及びそらせシーブ１７、１８、１９のそれぞれのシーブ溝２４と、メインロープ１３との接触部分２５には、オイル及び紫外線カット用の添加剤が塗布される。
【００２３】
ナイロン製のカーシーブ８等（カーシーブ８、９、カウンターウェイトシーブ１１、１２及びそらせシーブ１７、１８、１９）は、鋳物製のそれらよりも軽量である。これらのカーシーブ８等はメインロープ１３との摩耗を少なくし、メインロープ１３の変形の度合いを少なくできるため、メインロープ１３のロープ寿命を延長することができ、エレベータのトータルコストを低減させることができる。
【００２４】
エレベータの保守契約には、保守会社が定期的な点検によりエレベータの状態を常に最高の状態に維持するよう保守し、部品交換や修理に関して追加料金が発生しないとするフルメンテナンス契約と、点検の結果、メンテナンス員が安全の範囲で部品の交換や修理が必要と判断し、顧客がそれらの部品の交換や修理を承諾すると、部品の交換や修理費用を加算した額を支払う点検契約とがある。カーシーブ８等が紫外線の劣化を受ける場合、これらのシーブの点検修理代の有無がフルメンテナンス契約や点検契約での金額見積もりに影響を及ぼす。
【００２５】
ナイロン素材のカーシーブ８等に日照光が日中照射されると、紫外線の作用により高分子鎖が化学変化し、又は切断することが起こる。その結果、ナイロン製のこれらのカーシーブ８等の機械的強度が劣化する。シーブがナイロン素材である場合のシーブの交換時期は、同じ環境下でシーブが鋳物製である場合の交換時期よりも短くなる。ガラス張りエレベータなどでは、ナイロン素材のシーブでは、交換作業の回数が多くなる。本実施形態に係るエレベータでは、カーシーブ８等がナイロン製であっても、紫外線カット性能を持つ添加剤をシーブ溝２４とメインロープ１３との接触部分２５に与えるため、鋳物製の同じカーシーブ等を使用したときの交換時期と同等かそれよりも長くできる。シーブ交換作業の回数の増大を鋳物素材のそれよりも抑えられるようになる。本実施形態に係るエレベータによれば、カーシーブ８等のそれぞれの品質を向上させることができ、これらのシーブの点検負担が軽減される。メンテナンス時の作業性を高めることができる。
【００２６】
以上のように、本実施形態に係るエレベータによれば、シーブ素材の表面に直接、紫外線が照射されることが防止され、樹脂の劣化が防止される。シーブ素材の劣化が防止されるため、交換作業の回数が鋳物製のそれよりも少なくて済み、品質が維持され、信頼性を高めることができる。紫外線が照射される環境においても紫外線による劣化を受ける合成樹脂製のシーブを使用できるようになる。
【００２７】
（第１の変形例）
カーシーブ８等の各側面部２１は添加剤を含む塗料により塗装されていたが、これらの側面部２１には、紫外線をカットするフィルムを貼ってもよい。
【００２８】
図５は本実施形態の変形例に係るエレベータに用いられるカーシーブへ貼られるフィルムを示す図であり、図２（ａ）のＡＡ′線に沿う縦断面図が示されている。既述の符号はそれらと同じ要素を表す。カーシーブ８の部位のうち、シーブ溝２４などメインロープ１３が接触しない部分を紫外線吸収剤あるいは紫外線散乱剤を含むフィルム材３１により覆うようにする。これによっても、日照光が射込む昇降路１内で紫外線をカットすることができる。
【００２９】
（第２の変形例）
また、上記実施形態では、ナイロン製の各シーブ本体に添加剤を含むロープグリスなどを与えたが、これらのシーブ本体自体に紫外線カット用の添加物を含めてもよい。この変形例に係るエレベータの構成も図１に示す例と同じである。この変形例に係るエレベータによれば、ロープグリス及びロープオイルに紫外線カット用の添加剤を混合する手間を省くことができる。上記実施形態の例よりもシーブ交換作業の回数を減らすことができる。
【００３０】
尚、本発明は上記実施形態そのままに限定されるものではなく、実施段階ではその要旨を逸脱しない範囲で構成要素を変形して具体化できる。上記実施形態では、シーブ素材としてナイロンを説明したが、ナイロン以外の合成樹脂を用いてもよい。合成樹脂の構造材を劣化させる特定の波長領域の紫外線の紫外線吸収剤、又はこの紫外線の散乱剤をロープグリス及びロープオイルに添加することにより、上記実施形態の例と同等の効果を得られる。
【００３１】
メインロープ１３は種々の構造を持つロープを使うことができる。
【００３２】
また、上記実施形態に開示されている複数の構成要素の適宜な組み合わせにより、種々の発明を形成できる。例えば、実施形態に示される全構成要素から幾つかの構成要素を削除してもよい。更に、異なる実施形態にわたる構成要素を適宜組み合わせてもよい。
【符号の説明】
【００３３】
１…昇降路、２…支持梁、３…巻上モータ、４…トラクションシーブ、５…巻上機、６…かご、７…シーブ支持梁、８，９…カーシーブ、１０…カウンターウェイト、１１，１２…カウンターウェイトシーブ、１３…メインロープ（ロープ）、１３ａ…芯綱、１３ｂ…ストランド、１４…第１のロープ部分、１５…第２のロープ部分、１６，２０…ロープヒッチ、１７，１８，１９…そらせシーブ、２１…側面部、２２…軸部、２３…円筒胴体、２３ａ…外周部、２４…シーブ溝、２５…接触部分、２６…給油装置、２７…ロープオイル、２８…オイルタンク、２９…ガイド板、３０…給油芯、３１…フィルム材、３２…塗装、３３…繰出しローラ、３４…切欠き、３５…隙間。
【図１】
2012126503.tif 000003
【図２】
2012126503.tif 000004
【図３】
2012126503.tif 000005
【図４】
2012126503.tif 000006
【図５】
2012126503.tif 000007